(57)【要約】【課題】天井扇風機の本体を取り付ける構造の薄形化を図ることのできる天井扇風機を提供することを目的とする。【解決手段】天井面に突設した引掛けシーリング３の外周を囲む固定金具４より平行に垂設した一対のＬ形支持部５と、天井扇風機の本体に設けた固定軸８の上部側面に固定される一対の吊下金具１２と、本体７から固定軸８内を通り延設される電源線１３の先端に設けられるシーリング接続具１４とを備え、吊下金具１２の上部に設けたＬ形係合部１５を固定金具４のＬ形支持部５内に水平移動により係合するとともに、シーリング接続具１４を引掛けシーリング３に接続したことにより、取り付け構造の薄形化を図ることのできる天井扇風機を得られる。【選択図】図１
2007032295.tif 000002
【特許請求の範囲】
【請求項１】
天井面に突設した引掛けシーリングの外周を囲み設けた薄形の固定金具と、この固定金具より平行に垂設した一対のＬ形支持部と、複数枚のファンを回動し送風するように設けた本体と、この本体の上部に突出したパイプ状の固定軸と、この固定軸の上部側面に設けた貫通孔と、この貫通孔を介して前記固定軸の外側にボルトナットで固定される一対の吊下金具と、前記本体から固定軸内を通り延設される電源線の先端に設けられるシーリング接続具とを備え、前記吊下金具の上部に設けたＬ形係合部を、前記固定金具のＬ形支持部内に水平移動により、係合するとともに、前記シーリング接続具を前記引掛けシーリングに接続した天井扇風機。
【請求項２】
固定金具に垂設した一対のＬ形支持部の間隔を引掛けシーリングの先端円筒部の外径より大とした請求項１記載の天井扇風機。
【請求項３】
固定金具のＬ形支持部を垂直支持板と水平支持板とにより形成し、前記水平支持板の端部に突起片を設け、前記突起片を吊下金具の対角位置に対応して設けた請求項１または２記載の天井扇風機。
【請求項４】
固定金具のＬ形支持部の垂直支持板に設けた係合孔部と、この係合孔部に対応して吊下金具のＬ形係合部の垂直係合板に設けた係合凸部とを備え、前記係合孔部と前記係合凸部を係合可能とした請求項１〜３記載の天井扇風機。
【請求項５】
垂直係合板に設けた係合凸部を、バーリング突起を設けたねじ孔により形成し、垂直支持板に設けた係合孔部側からねじ結合を可能とした請求項４記載の天井扇風機。
【請求項６】
固定軸の外周側に所定間隔を設けて固定される一対の吊下金具と、この吊下金具が固定された所定間隔内に、前記吊下金具を固定するボルトに係合するように、前記固定軸に螺合する補助ねじを設けた請求項１または２記載の天井扇風機。
【請求項７】
一対の吊下金具間に設けた所定間隔の寸法を、本体落下防止用ワイヤの固定端子の幅寸法と略同一にするとともに、前記固定端子を前記所定間隔に嵌合状態で補助ねじにより固定軸に固定した請求項６記載の天井扇風機。
【請求項８】
吊下金具に切欠部を設け、前記切欠部を除いて一対の吊下金具を密接して固定軸に固定し、前記切欠部を通して前記固定軸に螺合する補助ねじを設けた請求項１または２記載の天井扇風機。
【請求項９】
シーリング接続具の電源線挿入用の開口部周辺を肉厚大とするとともに、前記開口部の形状を角のない丸形形状とした請求項１または２記載の天井扇風機。
【請求項１０】
電源線に懸かる垂直方向への張力を水平方向に変換する支持部を、固定金具に設けた請求項９記載の天井扇風機。
【請求項１１】
本体落下防止用ワイヤを、電源線と略一体に設け、前記本体落下防止用ワイヤの一端は固定軸の上端付近で分岐し、他端はシーリング接続具の近傍で分岐してなる請求項１０記載の天井扇風機。
【請求項１２】
固定金具に設けた引掛支持部と、本体落下防止用ワイヤの先端に設けた引掛部を有し、前記引掛部をシーリング接続具に略一体に設け、シーリング接続具を引掛けシーリングに回動しながら接続するときに、前記引掛部が前記引掛支持部に係合可能とした請求項９〜１１記載の天井扇風機。
【発明の詳細な説明】
【技術分野】
【０００１】
本発明は、天井面から固定軸を介して吊り下げられ本体に設けたファンにより送風される天井扇風機に関する。
【背景技術】
【０００２】
従来、この種の天井扇風機の一例としてパイプ状の支持部材を用いた天井扇風機が知られている（例えば、特許文献１参照）。
【０００３】
以下、その天井扇について図２４を参照しながら説明する。
【０００４】
図に示すように、キャノピー１０１の内側の簡易取付金具１０２がパイプの支持部材１０３のハンガー１０４に係合固着され、簡易取付金具１０２の内側には天井に取り付けられたシーリング１０５が配置されていた。
【０００５】
また、天井扇風機の一例として天井扇風機の取付装置が知られている（例えば、特許文献２参照）。
【０００６】
以下、その天井扇風機の取付装置について図２５を参照しながら説明する。
【０００７】
図に示すように、電装ボックス２０１内部に補助金具２０２が挿入され、補助金具２０２と一体に設けたボルト２０３を下部に突き出し、取付金具２０４はボルト２０３にナット２０５および２本の小ねじ２０６で電装ボックス２０１に固定され、補助金具２０２にはワイヤ２０７の一端が固定され、ワイヤ２０７の他端は補助金具２０２の端部にねじ止め固定されていた。
【特許文献１】特開平１１−２１０６７８号公報（［００１１］〜［００１４］、図１、図２）
【特許文献２】特開平６−８８５９６号公報（［００１３］［００１４］、図１）
【発明の開示】
【発明が解決しようとする課題】
【０００８】
このような従来の天井扇では、ハンガー１０４を簡易取付金具１０２に取り付けるには、ハンガー１０４を持ち上げて水平移動する必要があり、シーリング１０５に当接しないだけのスペースを設けなければならず、取り付け構造の薄形化が難しいという課題があり、薄形化を図ることが要求されているとともに、ハンガー１０４や簡易取付金具１０２の摩耗変形などによる経時的な落下防止の安全対策が不充分な場合があるという課題があり、確実な落下防止の安全対策が要求されている。
【０００９】
また、天井扇風機の取付装置では、ワイヤ２０７の取り付け忘れや、不確実に取り付けられる場合があるという課題があり、ワイヤ２０７の取り付け忘れや、不確実に取り付けられないようにすることが要求されている。
【００１０】
本発明は、このような従来の課題を解決するものであり、取り付け構造の薄形化および落下防止ができるとともに、ワイヤの取り付け忘れのないようにすることができる天井扇風機を提供することを目的としている。
【課題を解決するための手段】
【００１１】
本発明の天井扇風機は、上記目的を達成するために、天井面に突設した引掛けシーリングの外周を囲み設けた薄形の固定金具と、この固定金具より平行に垂設した一対のＬ形支持部と、複数枚のファンを回動し送風するように設けた本体と、この本体の上部に突出したパイプ状の固定軸と、この固定軸の上部側面に設けた貫通孔と、この貫通孔を介して前記固定軸の外側にボルトナットで固定される一対の吊下金具と、前記本体から固定軸内を通り延設される電源線の先端に設けられるシーリング接続具とを備え、前記吊下金具の上部に設けたＬ形係合部を、前記固定金具のＬ形支持部内に水平移動により係合するとともに、前記シーリング接続具を前記引掛けシーリングに接続したものである。
【００１２】
この手段により、取り付け構造の薄形化を図ることのできる天井扇風機が得られる。
【００１３】
また、他の手段は、固定金具に垂設した一対のＬ形支持部の間隔を引掛けシーリングの先端円筒部の外径より大としたものである。
【００１４】
この手段により、取り付け構造の薄形化を図ることのできる天井扇風機が得られる。
【００１５】
また、他の手段は、固定金具のＬ形支持部に形成される垂直支持板と、水平支持板とにより形成し、前記水平支持板の端部に突起片を設け、前記突起片を吊下金具の対角位置に対応して設けたものである。
【００１６】
この手段により、安全性を確保することができる天井扇風機が得られる。
【００１７】
また、他の手段は、固定金具のＬ形支持部の垂直支持板に設けた係合孔部と、この係合孔部に対応して吊下金具のＬ形係合部の垂直係合板に設けた係合凸部とを備え、前記係合部と前記係合凸部を係合可能としたものである。
【００１８】
この手段により、安全性を向上することができる天井扇風機が得られる。
【００１９】
また、他の手段は、垂直係合板に設けた係合凸部を、バーリング突起を設けたねじ孔により形成し、垂直支持板に設けた係合孔部側からねじ結合を可能としたものである。
【００２０】
この手段により、上下前後の位置規制ができ、バーリングにより簡易に取り付けることができる天井扇風機が得られる。
【００２１】
また、他の手段は、固定軸の外周側に所定間隔を設けて固定される一対の吊下金具と、この吊下金具が固定された所定間隔内に、前記吊下金具を固定するボルトに係合するように前記固定軸に螺合する補助ねじを設けたものである。
【００２２】
この手段により、安全性を向上することができる天井扇風機が得られる。
【００２３】
また、他の手段は、一対の吊下金具間に設けた所定間隔の寸法を、本体落下防止用ワイヤの固定端子の幅寸法と略同一にするとともに、前記固定端子を前記所定間隔に嵌合状態で補助ねじにより固定軸に固定したものである。
【００２４】
この手段により、本体落下防止用ワイヤを確実に固定することができる天井扇風機が得られる。
【００２５】
また、他の手段は、吊下金具に切欠部を設け、前記切欠部を除いて一対の吊下金具を密接して固定軸に固定し、前記切欠部を通して前記固定軸に螺合する補助ねじを設けたものである。
【００２６】
この手段により、安全性を向上することができる天井扇風機が得られる。
【００２７】
また、他の手段は、シーリングの接続具の電源線挿入用の開口部周辺を肉厚大とするとともに、前記開口部の形状を角のない丸形形状としたものである。
【００２８】
この手段により、落下を防止でき安全性を確保できる天井扇風機が得られる。
【００２９】
また、他の手段は、電源線に懸かる垂直方向への張力を水平方向に変換する支持部を、固定金具に設けたものである。
【００３０】
この手段により、落下防止の強度を保ち安全性を向上することができる天井扇風機が得られる。
【００３１】
また、他の手段は、本体落下防止用ワイヤを、電源線と略一体に設け、前記本体落下防止用ワイヤの一端は固定軸の上端付近で分岐し、他端はシーリング接続具の近傍で分岐してなるものである。
【００３２】
この手段により、本体落下防止用ワイヤの取り付け忘れを低減できる天井扇風機が得られる。
【００３３】
また、他の手段は、固定金具に設けた引掛支持部と、本体落下防止用ワイヤの先端に設けた引掛部を有し、前記引掛部をシーリング接続具に略一体に設け、シーリング接続具を引掛けシーリングに回動しながら接続するとともに、前記引掛部が前記引掛支持部に係合可能としたものである。
【００３４】
この手段により、本体落下対策を確実に実施でき、安全を確保することができる天井扇風機が得られる。
【発明の効果】
【００３５】
本発明によれば、取り付け構造の薄形化を図ることができるという効果のある天井扇風機を提供できる。
【００３６】
また、落下を防止でき安全性を確保できるという効果のある天井扇風機を提供できる。
【００３７】
また、本体落下防止用ワイヤの取り付け忘れを低減できるという効果のある天井扇風機を提供できる。
【発明を実施するための最良の形態】
【００３８】
本発明の請求項１記載の発明は、天井面に突設した引掛けシーリングの外周を囲み設けた薄形の固定金具と、この固定金具より平行に垂設した一対のＬ形支持部と、複数枚のファンを回動し送風するように設けた本体と、この本体の上部に突出したパイプ状の固定軸と、この固定軸の上部側面に設けた貫通孔と、この貫通孔を介して前記固定軸の外側にボルトナットで固定される一対の吊下金具と、前記本体から固定軸内を通り延設される電源線の先端に設けられるシーリング接続具とを備え、前記吊下金具の上部に設けたＬ形係合部を前記固定金具のＬ形支持部内に水平移動により、係合するとともに、前記シーリング接続具を前記引掛けシーリングに接続したものであり、引掛けシーリングの直下位置にＬ形支持部を配し、吊下金具を水平方向にスライドして取り付けができるので、上下方向への取付時のストロークを少なくできるとともに、シーリング接続具を逃がすようなＬ形形状としていることにより、取り付け構造の薄形化ができるという作用を有する。
【００３９】
また、請求項２記載の発明は、固定金具に垂設した一対のＬ形支持部の間隔を引掛けシーリングの先端円筒部の外径より大としたものであり、先端円筒部に重ならない形で吊下金具とＬ形係合部の形状およびＬ形支持部への取り付け構造を薄形に設定でき、取り付け構造のさらなる薄形化ができるという作用を有する。
【００４０】
また、請求項３記載の発明は、固定金具のＬ形支持部を垂直支持板と水平支持板とにより形成し、前記水平支持板の端部に突起片を設け、前記突起片を吊下金具の対角位置に対応して設けたものであり、吊下金具は固定金具の突起片を乗り越えて容易に取り付けできるとともに、吊下金具と固定金具は、平面状の外径が互いに四角形状のため、対角の２箇所に突起片を設けると位置規制され、取り付け後には吊下金具はスライド方向および回転方向に動かず、安全性も確保できるという作用を有する。
【００４１】
また、請求項４記載の発明は、固定金具のＬ形支持部の垂直支持板に設けた係合孔部と、この係合孔部に対応して吊下金具のＬ形係合部の垂直係合板に設けた係合凸部とを備え、前記係合孔部と前記係合凸部を係合可能としたものであり、係合孔部と係合凸部の凹凸の係合により前後上下方向に位置規制されて外れにくくなるとともに、水平支持板の突起片との組み合わせにより、回転方向の規制もできるので、安全性をさらに向上することができるという作用を有する。
【００４２】
また、請求項５記載の発明は、垂直係合板に設けた係合凸部を、バーリング突起を設けたねじ孔により形成し、垂直支持板に設けた係合孔部側からねじ結合を可能としたものであり、バーリング突起と係合孔部が係合することで、上下前後の位置規制ができ、さらにバーリングにねじ止め固定することで、確実な固定が可能となり、取付時の安全性が向上する。また、天井扇の固定金具や吊下金具などは高所での作業が多く、ねじ孔を真横から見ることができない場合もあるが、バーリングが係合することで、ねじ孔が一致しているか確認しなくても簡単に取り付けることができるという作用を有する。
【００４３】
また、請求項６記載の発明は、回転軸の外周側に所定間隔を設けて固定される一対の吊下金具と、この吊下金具が固定された所定間隔内に前記吊下金具を固定するボルトに係合するように前記固定軸に螺合する補助ねじを設けたものであり、ボルトナットを仮固定のような危険な状態で設置された場合には、ボルトナットの緩みが生じて、モーター回転トルクにより固定軸の摩耗破断の危険があるが、吊下金具の所定間隔内に補助ねじを嵌合して固定軸とボルトの回転方向の動きを規制することにより、摩耗破断を防ぐことにより安全性が向上するという作用を有する。
【００４４】
また、請求項７記載の発明は、一対の吊下金具間に設けた所定間隔の寸法を、本体落下防止用ワイヤの固定端子の幅寸法と略同一にするとともに、前記固定端子を前記所定間隔に嵌合状態で補助ねじにより固定軸に固定したものであり、吊下金具間に設けた所定間隔に本体落下防止用ワイヤを配置し、固定軸の周方向の微小なずれを防止することにより、固定軸とボルトの回転方向の動きを規制して摩耗破断を防ぐことができ安全性が向上し、さらに本体落下防止用ワイヤを確実に固定することができるという作用を有する。
【００４５】
また、請求項８記載の発明は、吊下金具に切欠部を設け、前記切欠部を除いて一対の吊下金具を密接して固定軸に固定し、前記切欠部を通して前記固定軸に螺合する補助ねじを設けたものであり、固定軸と吊下金具とを切欠部を通して補助ねじにて固定することで、吊下金具を固定軸の周方向と半径方向の２方向から規制して微小なずれを防止し、摩耗破断を防ぐことにより安全性が向上できるという作用を有する。
【００４６】
また、請求項９記載の発明は、シーリングの接続具の電源線挿入用の開口部周辺を肉厚大とするとともに、前記開口部の形状を角のない丸形形状としたものであり、ボルト摩耗による落下を防ぐために、安全対策として本体落下防止用ワイヤが取り付けられているが、ワイヤの施工忘れなどが発生すると、それを一時的に回避できるよう、電源線が落下防止を兼ねる。しかし、シーリング接続具は、基本的に荷重負荷のかかる構造でないため、強度を確保する構成となっていない。すなわち一般のシーリング接続具は、電源線挿入用の開口部は薄く角張って成形され、本体重量に対して落下を確保できるだけの強度を有していないため、そのまま使用すると破損により垂直落下荷重を支えることができない。しかし電源線挿入用の開口部周辺を肉厚大とし、さらに開口部の形状を円形または長円形とすることにより、垂直落下荷重に対して強度を確保することにより、シーリング接続具と電源線のみで垂直落下荷重に耐えて落下を防止でき、安全性を確保できるという作用を有する。
【００４７】
また、請求項１０記載の発明は、電源線に懸かる垂直方向への張力を水平方向に変換する支持部を、固定金具に設けたものであり、市販のシーリング接続具は、垂直方向への大きな負荷に対しての強度は得られず破損しやすいが、水平方向の大きな負荷に対しては、シーリング接続具の内部でリード線とリブの強固な結合により抜き止め防止対策がなされている。
【００４８】
そこで、天井扇風機の本体が万が一落下しそうな場合に、電源線を固定金具の支持部に引っ掛けることで荷重方向が垂直から水平へと変わり、シーリング接続具に懸かる垂直方向への大きな負荷を水平方向に変換することができ、シーリング接続具の抜け止め方向の強度を利用することにより、本体重量を支えて落下を防止し安全性を確保することができる。このように市販のシーリング接続具であっても、落下防止の強度を保ち安全性を向上することができるという作用を有する。
【００４９】
また、請求項１１記載の発明は、本体落下防止用ワイヤを、電源電線と略一体に設け、前記本体落下防止用ワイヤの一端は固定軸の上端付近で分岐し、他端はシーリング接続具の近傍で分岐したものであり、従来電源接続とは独立して落下安全のためのワイヤ取り付けを指示しているが、取り付け忘れの可能性がある。そこで電源接続時にワイヤも取り付ける必要があることを容易に見てとれる構成としたことで、本体落下防止用ワイヤの取り付けを促すことができ、取り付け忘れを低減させることができ、安全性向上を果すことができるという作用を有する。
【００５０】
また、請求項１２記載の発明は、固定金具に設けた引掛支持部と、本体落下防止用ワイヤの先端に設けた引掛部を有し、前記引掛部をシーリング接続具に略一体に設け、シーリング接続具を引掛けシーリングに回動しながら接続するときに、前記引掛部が前記引掛支持部に係合可能としたものであり、シーリング接続具を引掛けシーリングに回動しながら取り付けるときに、同時に本体落下防止用ワイヤの引掛部が固定金具の引掛支持部に係合し、本体落下防止用ワイヤの取り付けが意識せずに容易にできるため取り付け忘れがなくなり、本体落下対策を確実に実施でき、安全を確保することができるという作用を有する。
【００５１】
以下、本発明の実施の形態について図面を参照しながら説明する。
【００５２】
（実施の形態１）
図１〜図３に示すように、天井面１に突設した先端円筒部２を下方に有した引掛けシーリング３の外周を囲み設けた薄形の固定金具４と、固定金具４より平行に垂設した一対のＬ形支持部５と、複数枚のファン６を回動し送風するように設けた本体７と、本体７を吊り下げるために本体７の上部に突出したパイプ状の固定軸８と、固定軸８の上部側面に設けた貫通孔９と、貫通孔９を介して固定軸８の外周にボルト１０とナット１１で固定される一対の吊下金具１２と、本体７から固定軸８内を通り延設される電源線１３の先端に設けられるシーリング接続具１４とを備え、吊下金具１２の上部に設けたＬ形係合部１５を固定金具４のＬ形支持部５内に水平移動により係合するとともに、シーリング接続具１４を引掛けシーリング３に接続し構成する。
【００５３】
上記構成において、天井扇風機を運転するように操作すると、電源と接続されているシーリング接続具１４を介して電源線１３を通り、本体７に通電され本体７に設けたファン６により送風される。また、引掛けシーリング３の直下位置にＬ形支持部５を配し、吊下金具１２を水平方向にスライドして取り付けができるので、上下方向への取付時のストロークを少なくできるとともに、シーリング接続具１４を逃がすようなＬ形形状としているので取り付け構造の薄形化を図ることができることとなる。
【００５４】
（実施の形態２）
図４に示すように、固定金具４Ａに垂設した一対のＬ形支持部５Ａの間隔寸法Ｌを引掛けシーリング３Ａの先端円筒部２Ａの外径寸法Ｒより大とした構成とする。
【００５５】
上記構成において、Ｌ形支持部５Ａの間隔寸法Ｌは、引掛けシーリング３Ａの先端円筒部２Ａの外径寸法Ｒより大きな寸法にしていることにより、先端円筒部２ＡはＬ形支持部５Ａ内に配設され、Ｌ形支持部５Ａを固定金具４Ａ内に配設した場合と比較して固定金具４Ａの厚みを小さくすることができ、吊下金具１２ＡとＬ形係合部１５Ａの形状およびＬ形支持部５Ａへの取り付け構造を薄形に設定でき、取り付け構造のさらなる薄形化を図ることができることとなる。
【００５６】
（実施の形態３）
図５および図６に示すように、固定金具４ＢのＬ形支持部５Ｂを垂直支持板１６と水平支持板１７により形成し、水平支持板１７の端部に突起片１８を設け、突起片１８を吊下金具１２Ｂの対角位置に設け構成する。
【００５７】
上部構成において、吊下金具１２Ｂは固定金具４Ｂの突起片１８を乗り越えて容易に取り付けることができるとともに、吊下金具１２Ｂと固定金具４Ｂは、平面状の外形が互いに四角形状のため、対角の２箇所に突起片１８を設けると位置規制され、取り付け後には吊下金具１２Ｂはスライド方向および回転方向に動かず、安全性も確保できることとなる。
【００５８】
（実施の形態４）
図７に示すように、固定金具４ＣのＬ形支持部５Ｃの垂直支持板１６Ａに設けた係合孔部１９と、この係合孔部１９に対応して吊下金具１２ＣのＬ形係合部１５Ｂの垂直係合板２０に設けた係合凸部２１とを備え、係合孔部１９と係合凸部２１を係合可能とした構成とする。
【００５９】
上記構成において、垂直支持板１６Ａに設けた係合孔部１９と垂直係合板２０に設けた係合凸部２１が係合することにより、凹と凸の係合となり、前後上下方向に位置規制されて外れにくくなるとともに、水平支持板１７の突起片１８との組み合わせにより回転方向も規制できることとなり、安全性がさらに向上されることとなる。
【００６０】
（実施の形態５）
図８に示すように、垂直係合板２０Ａに設けた係合凸部２１Ａを、バーリング突起２２によるねじ孔２３により形成し、垂直支持板１６Ｂに設けた係合孔部１９Ａ側からねじ２４により結合する構成とする。
【００６１】
上記構成において、バーリング突起２２と係合孔部１９Ａが係合することで、上下前後の位置規制ができ、さらにバーリング突起２２にねじ２４をねじ止めすることで、確実な固定が可能となり、取付時の安全性が向上するとともに、天井扇風機の固定金具４Ｄや吊下金具１２Ｄなどは高所での作業が多く、ねじ孔２３を真横から見ることができない場合もあるが、バーリング突起２２が係合することで、ねじ孔２３が一致しているのが触感などで容易に確認でき、簡単に取り付けることができることとなる。
【００６２】
（実施の形態６）
図９および図１０に示すように、固定軸８Ａの外周側に、所定間隔Ａを設けて固定される一対の吊下金具１２Ｅが固定された所定間隔Ａ内に吊下金具１２Ｅを固定するボルト１０Ａに係合するように、固定軸８Ａに螺合する補助ねじ２５を設けた構成とする。
【００６３】
上記構成において、ボルト１０Ａとナット１１Ａを仮固定のような危険な状態で設置された場合には、ボルト１０Ａとナット１１Ａの緩みが生じてモータ回転のトルク等により固定軸８Ａの摩耗破断の危険をともなうが、吊下金具１２Ｅの所定間隔Ａ内に補助ねじ２５を螺合して固定軸８Ａとボルト１０Ａの回転方向の動きを規制するので、摩耗破断を防ぐことができ、より安全性が向上することとなる。
【００６４】
（実施の形態７）
図１１および図１２に示すように、一対の吊下金具１２Ｆ間に設けた所定間隔Ａの寸法を、本体落下防止用ワイヤ２６の固定端子２７の幅寸法と略同一にするとともに、固定端子２７を所定間隔Ａに嵌合状態で補助ねじ２５Ａにより固定軸８Ｂに固定した構成とする。
【００６５】
上記構成において、吊下金具１２Ｆ間に設けた所定間隔Ａに本体落下防止用ワイヤ２６を配置し、固定軸８Ｂの周方向の微小なずれを防止することにより固定軸８Ｂとボルト１０Ｂの回転方向の動きを規制して摩耗破断を防ぐことにより安全性を向上することができるとともに、本体落下防止用ワイヤ２６を確実に補助ねじ２５Ａにより固定することができることとなる。
【００６６】
（実施の形態８）
図１３に示すように、吊下金具１２Ｇに切欠部２８を設け、切欠部２８を除いて一対の吊下金具１２Ｇを密接して固定軸８Ｃに固定し、切欠部２８を通して固定軸８Ｃに螺合する補助ねじ２５Ｂを設けた構成とする。
【００６７】
上記構成において、固定軸８Ｃと吊下金具１２Ｇとを切欠部２８を通して補助ねじ２５Ｂにて固定することで、吊下金具１２Ｇを固定軸８Ｃの周方向と半径方向の２方向から規制して微小なずれを防止し、摩耗破断を防ぐことにより安全性が向上することとなる。
【００６８】
（実施の形態９）
図１４〜図１６に示すように、シーリング接続具１４Ａの電源線１３Ａの挿入用の開口部２９の周辺を肉厚大とするとともに、開口部２９の形状を角のない丸形形状とした構成とする。
【００６９】
上記構成において、一般にはボルト摩耗による落下を防ぐため安全対策として本体落下防止用ワイヤ（図示せず）が取り付けられているが、本体落下防止用ワイヤの施工忘れなどが発生すると、それを一時的に回避できるように、電源線が落下防止を兼ねることとなる。しかし、シーリング接続具は基本的に荷重負荷のかかる構造ではないため、強度を確保する構成とはなっていない。すなわち、一般のシーリング接続具は電源線挿入用の開口部は薄く角ばって成形され、本体重量に対して落下を確保できるだけの強度を有していないため、そのまま使用すると破損によって垂直落下荷重を支えることができないものであったが、電源線１３Ａの挿入用の開口部２９周辺を肉厚大とし、さらに開口部２９の形状を円形または長円形とすることにより、垂直落下荷重に耐えて落下を防止でき、安全性を確保できることとなる。
【００７０】
なお、実施の形態９では、電源線挿入用の開口部２９をシーリング接続具１４Ａの側面に設けたが、図１７および図１８に示すように、シーリング接続具の下面側に設けてもよいことはいうまでもない。
【００７１】
（実施の形態１０）
図１９に示すように、電源線１３Ｂに懸かる垂直方向への張力を水平方向に変換する支持部３０を、固定金具４Ｆに設け構成する。
【００７２】
上記構成において、市販のシーリング接続具は、垂直方向への大きな負荷に対してはシーリング接続具の内部でリード線とリブの強固な結合により抜け止め防止対策がなされていた。そこで本体（図示せず）が万一落下しそうな場合に、電源線１３Ｂを固定金具４Ｆの支持部３０に引っ掛けることで荷重方向が垂直から水平へと変わり、シーリング接続具１４Ｂに懸かる垂直方向への大きな負荷を水平方向に変換することができ、シーリング接続具１４Ｂの抜け止め方向の強度を利用することにより、本体重量を支えて落下を防止し安全性を確保できることにより、市販のシーリング接続具であっても落下防止の強度を保ち安全性を向上することができることとなる。
【００７３】
（実施の形態１１）
図２０に示すように、本体落下防止用ワイヤ２６Ａを、電源線１３Ｃと略一体に設け、本体落下防止用ワイヤ２６Ａの一端は固定軸８Ｄの上端付近で分岐し、他端はシーリング接続具１４Ｃの近傍で分岐し構成する。
【００７４】
上記構成において、独立して落下安全のための本体落下防止用ワイヤの取り付けを支持している従来の方法では、取り付け忘れの可能性があったのが、電源線１３Ｃの接続時に本体落下防止用ワイヤ２６Ａを取り付ける必要があることを容易に見てとれる構成としているので、本体落下防止用ワイヤ２６Ａの取り付けを促すことができ、取り付け忘れを低減させることができ、安全性向上を図ることができることとなる。
【００７５】
なお、固定軸８Ｄ側への本体落下防止用ワイヤ２６Ａの取り付けを工場生産時としても良く、このときは、他端の本体落下防止用ワイヤ２６Ａの接続を現場で行うだけでよく、設置作業が容易にできるものである。
【００７６】
（実施の形態１２）
図２１〜図２３に示すように、固定金具４Ｇに設けた引掛支持部３１と、本体落下防止用ワイヤ２６Ｂの先端に設けた引掛部３２を有し、引掛部３２をシーリング接続具１４Ｄに略一体に設け、シーリング接続具１４Ｄを引掛けシーリング３Ｂに回動しながら接続するときには、引掛部３２が引掛支持部３１に係合可能に構成する。
【００７７】
上記構成において、シーリング接続具１４Ｄを引掛けシーリング３Ｂに回動しながら取り付けるときに、同時に本体落下防止用ワイヤ２６Ｂの引掛部３２が固定金具４Ｇの引掛支持部３１に係合し、本体落下防止用ワイヤ２６Ｂの取り付けを意識せずに容易にできるため取り付け忘れがなくなり、本体の落下対策を確実に実施でき、安全を確保することができるものである。
【産業上の利用可能性】
【００７８】
吊下金具を水平方向にスライドして取り付ける構成を用いて、天井面に近接して取り付ける機器の取付装置の用途にも適用できる。
【図面の簡単な説明】
【００７９】
【図１】本発明の実施の形態１の天井扇風機の天井取付部材を示す分解斜視図
【図２】同天井扇風機の天井取付部材を組立てた状態を示す側面図
【図３】同天井扇風機の側面図
【図４】本発明の実施の形態２の天井扇風機の天井取付部材の組立てた状態を示す側面図
【図５】本発明の実施の形態３の天井扇風機の固定金具の斜視図
【図６】同天井扇風機の固定金具に吊下金具を係合する状態を示す概略図
【図７】本発明の実施の形態４の天井扇風機の取付時の状態を示す斜視図
【図８】本発明の実施の形態５の天井扇風機の取付時の状態を示す斜視図
【図９】本発明の実施の形態６の天井扇風機の取付状態を示す斜視図
【図１０】同天井扇風機の補助ねじを螺合した取付状態を示す部分斜視図
【図１１】本発明の実施の形態７の天井扇風機の取付状態を示す斜視図
【図１２】同天井扇風機の固定端子を補助ねじで取付けた状態を示す部分斜視図
【図１３】本発明の実施の形態８の天井扇風機の取付状態を示す斜視図
【図１４】本発明の実施の形態９の天井扇風機のシーリング接続具の内部図
【図１５】同天井扇風機のシーリング接続具の斜視図
【図１６】同天井扇風機のシーリング接続具の部分断面図
【図１７】同他の例の天井扇風機のシーリング接続具の斜視図
【図１８】同他の例の天井扇風機のシーリング接続具の部分断面図
【図１９】本発明の実施の形態１０の天井扇風機の取付状態を示す斜視図
【図２０】本発明の実施の形態１１の天井扇風機の本体落下防止用ワイヤの状態を示す概略図
【図２１】本発明の実施の形態１２の天井扇風機の取付状態を示す斜視図
【図２２】同天井扇風機の取付時の状態を示す斜視図
【図２３】同天井扇風機の引掛けシーリングの斜視図
【図２４】従来の天井扇の縦断面図
【図２５】同他の例の天井扇風機の取付装置の断面図
【符号の説明】
【００８０】
１      天井面
２Ａ    先端円筒部
３      引掛けシーリング
３Ａ    引掛けシーリング
３Ｂ    引掛けシーリング
４      固定金具
４Ａ    固定金具
４Ｂ    固定金具
４Ｃ    固定金具
４Ｆ    固定金具
４Ｇ    固定金具
５      Ｌ形支持部
５Ａ    Ｌ形支持部
５Ｂ    Ｌ形支持部
５Ｃ    Ｌ形支持部
６      ファン
７      本体
８      固定軸
８Ａ    固定軸
８Ｂ    固定軸
８Ｃ    固定軸
８Ｄ    固定軸
９      貫通孔
１０    ボルト
１０Ａ  ボルト
１１    ナット
１２    吊下金具
１２Ｃ  吊下金具
１２Ｅ  吊下金具
１２Ｆ  吊下金具
１２Ｇ  吊下金具
１３    電源線
１３Ｂ  電源線
１３Ｃ  電源線
１４    シーリング接続具
１４Ａ  シーリング接続具
１４Ｃ  シーリング接続具
１４Ｄ  シーリング接続具
１５    Ｌ形係合部
１５Ｂ  Ｌ形係合部
１６    垂直支持板
１６Ａ  垂直支持板
１６Ｂ  垂直支持板
１７    水平支持板
１８    突起片
１９    係合孔部
１９Ａ  係合孔部
２０    垂直係合板
２０Ａ  垂直係合板
２１    係合凸部
２１Ａ  係合凸部
２２    バーリング突起
２３    ねじ孔
２４    ねじ
２５    補助ねじ
２５Ａ  補助ねじ
２５Ｂ  補助ねじ
２６    本体落下防止用ワイヤ
２６Ａ  本体落下防止用ワイヤ
２６Ｂ  本体落下防止用ワイヤ
２７    固定端子
２８    切欠部
２９    開口部
３０    支持部
３１    引掛支持部
３２    引掛部
【図１】
2007032295.tif 000003
【図２】
2007032295.tif 000004
【図３】
2007032295.tif 000005
【図４】
2007032295.tif 000006
【図５】
2007032295.tif 000007
【図６】
2007032295.tif 000008
【図７】
2007032295.tif 000009
【図８】
2007032295.tif 000010
【図９】
2007032295.tif 000011
【図１０】
2007032295.tif 000012
【図１１】
2007032295.tif 000013
【図１２】
2007032295.tif 000014
【図１３】
2007032295.tif 000015
【図１４】
2007032295.tif 000016
【図１５】
2007032295.tif 000017
【図１６】
2007032295.tif 000018
【図１７】
2007032295.tif 000019
【図１８】
2007032295.tif 000020
【図１９】
2007032295.tif 000021
【図２０】
2007032295.tif 000022
【図２１】
2007032295.tif 000023
【図２２】
2007032295.tif 000024
【図２３】
2007032295.tif 000025
【図２４】
2007032295.tif 000026
【図２５】
2007032295.tif 000027